(57)【要約】【課題】  開口部に形成させる取っ手については、これを長く形成させて使い易くさせ、又、底部に形成させる延長片については、無駄な部分を切除することで必要最低限の長さに形成させて踏み付けの危険を無くし、又、その切除片を原料にリサイクルさせることができるようにしたロール状連続ゴミ袋の提供。【解決手段】  底部が袋底溶着部３によって閉鎖された多数枚のゴミ袋１が切込破線２を介して一連に連結された連続ゴミ袋１０がロール状に巻き取られ、切込破線からの切り離しによって袋体の開口部の両側に取っ手４，４を形成させると共にこの両取っ手の間に谷部５，５を介してフラップ６を形成させ、谷部を形成させることに伴ない袋状体の底部に延長片７，７を形成させるようにしているロール状連続ゴミ袋であって、前記延長片の先端部分が切除されている。【選択図】  図１
0003114699.tif 000002
【実用新案登録請求の範囲】
【請求項１】
底部が袋底溶着部によって閉鎖された多数枚のゴミ袋が切込破線を介して一連に連結された連続ゴミ袋がロール状に巻き取られ、
前記切込破線からの切り離しによってゴミ袋の開口部の両側に取っ手を形成させると共にこの両取っ手の間に谷部を介してフラップを形成させ、
かつ前記谷部に対応した形状の延長片をゴミ袋の底部に形成させるようにしたロール状連続ゴミ袋であって、
前記延長片の先端部分が切除されていることを特徴とするロール状連続ゴミ袋。
【請求項２】
前記延長片の切除後先端部分に切込破線が形成されている請求項１記載のロール状連続ゴミ袋。
【請求項３】
開口部の両側に取っ手を形成させると共にこの両取っ手の間に谷部を介してフラップを形成させ、かつ前記谷部に対応した形状の延長片を底部に形成させるようにしたゴミ袋であって、
前記延長片の先端部分が切除されていることを特徴とするゴミ袋。
【請求項４】
前記延長片の切除後先端部分に切込破線が形成されている請求項３記載のゴミ袋。
【考案の詳細な説明】
【技術分野】
【０００１】
本考案は、ゴミ袋として利用されるもので、多数枚のゴミ袋を一連に連結させた連続ゴミ袋をロール状に巻き取ったロール状連続ゴミ袋及びゴミ袋に関する。
【背景技術】
【０００２】
従来、ゴミ袋として使用されるロール状連続ゴミ袋が知られている（特許文献１参照）。
【０００３】
このロール状連続ゴミ袋は、図４に示すように、底部が袋底溶着部３によって閉鎖された多数枚のゴミ袋１を切込破線２により一連に連結させた連続ゴミ袋１０をロール状に巻き取ったものである。
前記連続ゴミ袋１０は、両側部にガゼット部１１，１１を折り込んだ筒状プラスチックフイルムに、全幅に亘って袋底溶着部３を一定間隔で形成すると共に、この袋底溶着部３に近接して切込破線２を形成したものとなっている。
【０００４】
この場合、切込破線２からの切り離しによってゴミ袋１の開口部の両側に取っ手４，４を形成させると共に、この両取っ手４，４の間に谷部５，５を介してフラップ６を形成させるように前記切込破線２が形成されるもので、前記谷部５，５を形成させることに伴ないゴミ袋１の底部に延長片７，７が形成される。
即ち、切込破線２から切り離されたゴミ袋１は、開口部の両側に取っ手４，４が形成されると共にこの両取っ手４，４の間に谷部５，５を介してフラップ６が形成され、かつ前記谷部５，５に対応した形状の延長片７，７がゴミ袋１の底部に形成されたものになる。
【０００５】
そして、ゴミ袋１を使用するには、開口部からゴミ袋１の内部にゴミを収容させることになるが、この場合、開口部の両側に形成した両取っ手４，４に手を通して把持することで持ち運びが容易になるし、又、両取っ手４，４同士を結ぶことで開口部を閉じることができる。
このように、両取っ手４，４は、これを把持したり結んだりするため、長さが長い方が使い易くなるが、この取っ手４，４を長く形成させると谷部５，５が深くなり、この谷部５，５を形成させることに伴ないゴミ袋１の底部に形成される延長片７，７も長くなってしまう。
【０００６】
しかしながら、前記延長片７，７が長過ぎるとこれを踏み付けることがある。
主婦等がゴミを収容したり、ゴミ袋１を持ち上げたりするときに延長片７，７を踏み付け、これにより転倒することがあり、又、ゴミ袋１が引っ張られて破損するといった不具合が生じることがあった。
【０００７】
又、延長片７，７は、ゴミ袋１の底側の把持片として使用できるが、この延長片７，７は前記取っ手と異なり手を通す必要がないため長く形成する必要はない。
即ち、延長片７，７は手で掴めるだけの長さがあれば足りるもので、このことからも延長片７，７を長く形成することは無駄であるといえる。
【特許文献１】特開２００１−２０８２号公報
【考案の開示】
【考案が解決しようとする課題】
【０００８】
本考案は、開口部に形成させる取っ手については、これを長く形成させて使い易くさせ、又、底部に形成させる延長片については、無駄な部分を切除することで必要最低限の長さに形成させて踏み付けによる危険性を防止させ、又、その切除片を原料にリサイクルさせることができるようにしたロール状連続ゴミ袋及びゴミ袋を提供することを課題としている。
【課題を解決するための手段】
【０００９】
上記の課題を解決するため、本考案（請求項１）のロール状連続ゴミ袋は、
底部が袋底溶着部によって閉鎖された多数枚のゴミ袋が切込破線を介して一連に連結された連続ゴミ袋がロール状に巻き取られ、
前記切込破線からの切り離しによってゴミ袋の開口部の両側に取っ手を形成させると共にこの両取っ手の間に谷部を介してフラップを形成させ、
かつ前記谷部に対応した形状の延長片をゴミ袋の底部に形成させるようにしたロール状連続ゴミ袋であって、
前記延長片の先端部分が切除されている構成とした。
【００１０】
又、本考案（請求項２）のロール状連続ゴミ袋は、前記請求項１記載のロール状連続ゴミ袋において、前記延長片の切除後先端部分に切込破線が形成されている態様とした。
【００１１】
又、本考案（請求項３）のゴミ袋は、
開口部の両側に取っ手を形成させると共にこの両取っ手の間に谷部を介してフラップを形成させ、かつ前記谷部に対応した形状の延長片を底部に形成させるようにしたゴミ袋であって、
前記延長片の先端部分が切除されている構成とした。
【００１２】
又、本考案（請求項４）のゴミ袋は、前記請求項３記載のゴミ袋において、前記延長片の切除後先端部分に切込破線が形成されている態様とした。
【考案の効果】
【００１３】
本考案のロール状連続ゴミ袋（請求項１）又はゴミ袋（請求項３）では、延長片の先端部分が切除されている。
従って、開口部に形成させる取っ手については、これを長く形成させて使い易くさせ、又、底部に形成させる延長片については、必要最低限の長さに形成させることができる。
【００１４】
これにより延長片を踏み付けることによる危険性が軽減できるし、又、切除したことで発生する切除片を原料にリサイクルさせることができる。なお、切除片のリサイクル率は、通常で２％以上得ることが可能である。
【００１５】
又、本考案のロール状連続ゴミ袋（請求項２）又はゴミ袋（請求項４）のように、延長片の切除後先端部分に切込破線（以下、「先端部切込破線」という）を形成させておくと、仮に延長片を踏み付けることがあったとしても、この先端部切込破線が、その切込破線に沿って切れるため、延長片を踏み付けることによる危険性を軽減できる。
【考案を実施するための最良の形態】
【００１６】
図１は本考案のロール状連続ゴミ袋Ａの実施例を示す斜視図、図２はそのロール状連続ゴミ袋Ａの要部を示す平面図である。
このロール状連続ゴミ袋Ａは、延長片７，７の先端部分が切除されている構成に特徴があるもので、その他の構成は、前記図４で示したロール状連続ゴミ袋と同様の構成であるため、図面の符合を同一にして、その説明を省略する。
【００１７】
なお、ロール状連続ゴミ袋をコンパクトにするために、連続ゴミ袋１０の両縁部分を内側に折込んでロール状に巻き取るようにしている。
また、連続ゴミ袋１０の材質は、ポリエチレン樹脂やポリプロピレン樹脂が用いられている。
【００１８】
前記切込破線２は、この切込破線２からの切り離しによって、ゴミ袋１の開口部の両側に取っ手４，４を形成させると共に、この両取っ手４，４の間に谷部５，５を介してフラップ６を形成させるように形成されるもので、前記谷部５，５を形成させることに伴ないゴミ袋１の底部に延長片７，７が形成される。
【００１９】
そして、前記延長片７，７の先端部分が切除されており、この場合、延長片７，７の先端部分（谷部５，５の谷底側部分）を、延長片７，７の切除後先端縁が円弧状になるようにプレスによって打抜くことで切除穴部８，８を形成させ、その打ち抜きにより発生した切除片を打抜きと同時に吸引回収させるようになっている。
なお、延長片７，７は、この延長片７，７を掴むに足りる最低限の長さを有するように、先端部を切除させるもので、実施例では、延長片７，７の長さが取っ手４，４の長さ（１４０ｍｍ）の約１／２の長さ（７０ｍｍ）になるように形成されているが、これに限定されるものではない。
【００２０】
又、前記延長片７，７の切除後先端部分に先端部切込破線７０が形成されている。
この先端部切込破線７０は、延長片７，７の切除後先端部分に複数筋（実施例では５筋）で、ゴミ袋１の上下方向に対して角度（約４５〜６０°）を持ち、１０ｍｍ〜１５ｍｍの長さで形成されている。
なお、先端部切込破線７０の数及び角度は、この実施例に限定されない。
【００２１】
以上のように、延長片７，７の先端部分を切除しているので、ゴミ袋１の開口部に形成させる取っ手４，４を長く形成させて使い易くさせながら、ゴミ袋１の底部に形成させる延長片７，７の長過ぎる無駄を排除することができる。
これにより、延長片７，７を踏み付けることによる危険が無いし、又、延長片７，７の先端部を切除したことで発生する切除片を原料にリサイクルさせることができる。
【００２２】
又、延長片７，７に先端部切込破線７０を形成させると、仮に延長片７，７を踏み付けることがあったとしても、この先端部切込破線７０がその切込破線に沿って切れるため、延長片７，７を踏み付けることによる危険性を軽減できる。
特に、先端部切込破線７０を、袋状体１の上下方向に対して角度を持たせると、先端部切込破線７０がゴミ袋１の引っ張り方向（通常はゴミ袋１の上下方向）に対して傾斜するため切れ易くなる。
【００２３】
次に、図３は本考案のゴミ袋の実施例を示す平面図である。
このゴミ袋Ｂは、前記図１及び図２で示したロール状連続ゴミ袋を構成するゴミ袋１と同様の構成であり、前記切込破線と同様の線に沿ってカッターにより切り取ることで形成されている。
【００２４】
そして、このゴミ袋Ｂについても、延長片７，７の先端部分が切除され（仮想線は切除部７ａを示す）、かつ延長片７，７の切除後先端部分に先端部切込破線７０が形成されている点は前記ゴミ袋１と同様であり、この場合、カッターにより切り取ったゴミ袋Ｂを多数枚（例えば、１００枚）積層させていき、その積層状態で延長片７，７の先端部分を切除させると共に、先端部切込破線７０を形成させる加工を行なうようにしている。
【００２５】
なお、このゴミ袋Ｂは、これを多数枚（例えば、１００枚）の積層状態で包装し、商品として供される。
【００２６】
なお、本考案におけるゴミ袋は、両縁部分に折込形成するガゼットの有無や袋サイズに制限はない。
【図面の簡単な説明】
【００２７】
【図１】本考案のロール状連続ゴミ袋の実施例を示す斜視図である。
【図２】そのロール状連続ゴミ袋の要部を示す平面図である。
【図３】本考案のゴミ袋の実施例を示す平面図である。
【図４】従来のロール状連続ゴミ袋を示す斜視図である。
【符号の説明】
【００２８】
Ａ  ロール状連続ゴミ袋
Ｂ  ゴミ袋
１  ゴミ袋
１０  連続ゴミ袋
１１  ガゼット部
２  切込破線
３  袋底溶着部
４  取っ手
５  谷部
６  フラップ
７  延長片
７０  切込破線（先端部切込破線）
７ａ  切除部
８  切除穴部
【図１】
0003114699.tif 000003
【図２】
0003114699.tif 000004
【図３】
0003114699.tif 000005
【図４】
0003114699.tif 000006